(57)【要約】【課題】主信号であるＷＤＭ信号になんら影響を与えることなく、波長合波器の入力ポートに接続された送信器の目的波長を確認することのできる安価な光送信装置を提供すること。【解決手段】本光送信装置は、Ｎ個の光送信器２１０、周回的な入出力ポート間の透過波長関係を有するアレイ導波路回折格子ＡＷＧ２２０、光強度検出器２３０から構成される。さらに各々の光送信器２１０は、送信波長をλ０〜λＮの範囲で可変可能な送信器２１１、および駆動部から構成される。本ＡＷＧ２２０は、送信波長λ１〜λＮが、光ファイバ伝送路に入射される出力ポート＃１とは別に、出力ポート＃２を有する。送信器２１１−３の送信波長がλ２に選択されたときに、ＡＷＧ２２０の出力ポート＃２から波長が出力され、光強度検出器２３０により波長λ２が検出される。波長λ２が検出されたということは、送信器が入力ポート＃３に接続されたことを意味する。【選択図】図３
2010154063.tif 000002
【特許請求の範囲】
【請求項１】
送信波長を可変可能な送信器と、
前記送信器が接続された周回的な入出力ポート間の透過波長関係を有するアレイ導波路回折格子と、
前記送信器の出力光が前記アレイ導波路回折格子を介して受光されるように前記アレイ導波路回折格子の第１の出力ポートに接続された光強度検出器と、
を備え、前記アレイ導波路回折格子の任意の入力ポートに新たに接続された前記送信器の送信波長を選択し、前記光強度検出器が前記選択された送信波長の光強度を検出したとき、前記選択された送信波長、前記アレイ導波路回折格子の周回的な入出力ポート間の透過波長関係および前記第１の出力ポートとのポート間関係に基づいて、前記アレイ導波路回折格子の第２の出力ポートから出射される前記新たに接続された送信器の送信波長を確認可能とすることを特徴とする光送信装置。
【請求項２】
前記アレイ導波路回折格子の各入力ポートに入射された前記出力光が前記第２の出力ポートから出射されるための、前記出力光の送信波長情報が記述されたタグであって、前記アレイ導波路回折格子の各入力ポート付近に設置されたタグと、
前記タグから前記各入力ポートの前記送信波長情報を読み取る非接触型の読み取り器と、
前記読み取り器から受信した前記各入力ポートの前記送信波長情報に基づいて前記新たに接続された送信器の送信波長の設定を行う波長設定器と、
をさらに備えたことを特徴とする請求項１に記載の光送信装置。
【請求項３】
前記新たに接続された送信器の送信波長の選択を順次掃引することにより行い、前記光強度検出器が前記選択された送信波長の光強度を検出したとき、前記選択された送信波長、前記アレイ導波路回折格子の周回的な入出力ポート間の透過波長関係および光強度が検出された前記第１の出力ポートのとのポート間関係に基づいて、前記アレイ導波路回折格子の第２の出力ポートに出射されるように前記新たに接続された送信器の送信波長を設定する波長設定器をさらに備えたことを特徴とする請求項１に記載の光送信装置。
【請求項４】
前記波長設定器に接続された波長監視回路をさらに備え、
前記波長設定器は、前記送信器が送信波長を掃引する前に、前記波長監視回路内の未設定波長情報、または既設定波長情報に基づいて、送信波長の掃引に際して既設定波長をスキップし、また波長設定完了後は、設定波長情報を波長監視回路に伝達することを特徴とする請求項３に記載の光送信装置。
【請求項５】
前記波長監視回路は、前記送信器の通電情報を監視して前記通電情報を前記波長設定気に伝達し、前記波長設定器は、既設定波長として登録されていた前記送信器が未通電となったとき前記未通電になった送信器の送信波長を未設定波長として登録することを特徴とする請求項４に記載の光送信装置。
【請求項６】
送信波長を可変可能な送信器と、
前記送信器が接続された周回的な入出力ポート間の透過波長関係を有するアレイ導波路回折格子と、
前記送信器の出力光が前記アレイ導波路回折格子を介して受光されるように前記アレイ導波路回折格子の複数の第１の出力ポートにそれぞれ接続された複数の光強度検出器と、
前記複数の光強度検出器が接続された入力ポート検出器と、
を備え、前記アレイ導波路回折格子の任意の入力ポートに新たに接続された送信器の送信波長を選択し、前記光強度検出器が前記選択された送信波長の光強度を検出したとき、前記選択された送信波長、前記アレイ導波路回折格子の周回的な入出力ポート間の透過波長関係および光強度が検出された前記第１の出力ポートのとのポート間関係に基づいて、前記アレイ導波路回折格子の第２の出力ポートに出射される前記新たに接続された送信器の送信波長を確認可能とすることを特徴とする光送信装置。
【請求項７】
前記新たに接続された送信器の送信波長の選択を順次掃引することにより行い、前記光強度検出器が前記選択された送信波長の光強度を検出したとき、前記選択された送信波長、前記アレイ導波路回折格子の周回的な入出力ポート間の透過波長関係および光強度が検出された前記第１の出力ポートのとのポート間関係に基づいて、前記アレイ導波路回折格子の第２の出力ポートに出射されるように前記新たに接続された送信器の送信波長を設定する波長設定器をさらに備えたことを特徴とする請求項６に記載の光送信装置。
【請求項８】
送信波長を可変可能な送信器および周回的な入出力ポート間の透過波長関係を有するアレイ導波路回折格子を備えた光送信装置における前記送信器の送信波長確認方法であって、
送信波長の設定を行う送信器を前記アレイ導波路回折格子の任意の入力ポートに接続するステップと、
前記設定を行う送信器の送信波長を選択し、前記アレイ導波路回折格子の少なくとも１つの第１の出力ポートで前記選択された送信波長の光強度が検出されたか否かを判定するステップと、
前記判定するステップにおいて前記選択された送信波長の光強度が検出されたとき、前記選択された送信波長、前記アレイ導波路回折格子の周回的な入出力ポート間の透過波長関係および光強度が検出された前記第１の出力ポートとのポート間関係に基づいて、前記アレイ導波路回折格子の第２の出力ポートから出射される前記設定を行う送信器の送信波長を確認するステップと、
を有することを特徴とする送信波長確認方法。
【請求項９】
送信波長を可変可能な送信器および周回的な入出力ポート間の透過波長関係を有するアレイ導波路回折格子を備えた光送信装置における前記送信器の送信波長設定方法であって、
送信波長の設定を行う送信器を前記アレイ導波路回折格子の任意の入力ポートに接続するステップと、
前記設定を行う送信器の送信波長の選択を順次掃引することにより行い、前記アレイ導波路回折格子の少なくとも１つの第１の出力ポートで前記選択された送信波長の光強度が検出されたか否かを判定するステップと、
前記判定するステップにおいて前記選択された送信波長の光強度が検出されたとき、前記選択された送信波長、前記アレイ導波路回折格子の周回的な入出力ポート間の透過波長関係および光強度が検出された前記第１の出力ポートとのポート間関係に基づいて、前記アレイ導波路回折格子の第２の出力ポートから出射されるように前記設定を行う送信器の送信波長を設定するステップと、
を有することを特徴とする送信波長確認方法。
【発明の詳細な説明】
【技術分野】
【０００１】
本発明は光送信装置及び送信波長設定方法に関し、より詳細には、送信波長が可変可能な送信器を用いた波長多重光通信システムにおいて、光ファイバ伝送路に入射可能な送信波長を確認可能とする光送信装置及び送信波長設定方法に関する。
【背景技術】
【０００２】
近年、インターネットをはじめとするデータ通常トラフィックの増大により、波長多重（ＷＤＭ：Wavelength Division Multiplexing）技術を利用した、大容量なコアネットワークやメトロネットワークの構築が進んでいる。本技術は、大容量化だけでなく、波長ごとに異なったサービスや利用者を割り当てることにより、ネットワークを柔軟に構築することにも寄与し得る。
【０００３】
図１に、ＷＤＭ光通信システムにおいて使用される従来の光送受信装置の構成を示す。本光受信装置は、Ｎ個の光送受信器１１０−１〜１１０−Ｎ、波長合波器１２０、波長分波器１３０により構成される。さらに、光送受信器１１０−１〜１１０−Ｎは、送信器１１１−１〜１１１−Ｎ、受信器１１２−１〜１１２−Ｎから構成される。送信器１１１−１〜１１１−Ｎの送信波長は、波長合波器１２０の各入力ポートの透過波長に一致しており、例えば、光送受信機１１０−１は、波長λ１の光信号を送信し、出力ポートに対して波長λ１を透過する波長合波器１２０の入力ポートに接続される。光送受信機１１０−２〜１１０−Ｎについても同様であり、波長合波器１２０の出力ポートにおいて、λ１〜λＮのＷＤＭ信号が生成され、光ファイバ伝送路へ入射される。一方、光ファイバ伝送路から送られてきたＷＤＭ信号は、波長分波器１３０において、波長ごとに分波される。分波された光信号は、受信器１１２−１〜１１２−Ｎに送られ各々個別に受信される（特許文献１参照）。
【０００４】
従来は、送信器１１１−１〜１１１−Ｎに搭載する光源として、送信波長が固定のレーザが用いられていたが、本来であれば、送信波長が可変可能なレーザを用いるのが望ましい。受信器１１２−１〜１１２−Ｎが受信できる波長域は広いため、送信波長が可変可能なレーザを送信器１１１−１〜１１１−Ｎに搭載できれば、光送受信器１１０−１〜１１０−Ｎを単一品種化し、波長の管理が容易になるからである。近年では、低価格化を志向した波長可変レーザが市販されるようになってきており、光送受信器１１０−１〜１１０−Ｎの単一品種化も実現性を帯びてきている。
【０００５】
図２に、送信波長が可変可能な送信器を用いた従来の光送信装置の構成を示す。光送信器１４０−１、および光送信器１４０−２は、それぞれ、波長λ１、および波長λ２の波長が送信されるように設定され、さらに、出力ポートに対して波長λ１、および波長λ２を透過する入力ポートに接続されている。
【０００６】
図２に示すように、新たに光送信器１４０−３を波長合波器の入力ポートに接続する場合を考える。接続する入力ポートは、＃３〜＃Ｎまでのいずれでもよいが、ここでは、入力ポート＃３に接続する場合を考える。その場合、光送信器１４０−３から波長λ３が送信されるように、送信器１４０−３の外部から何らかの手法により送信波長を設定し、さらに、光送信器１４０−３を出力ポートに対して波長λ３を透過する波長合波器１２０の入力ポートに接続することで作業は一応完了する。
【０００７】
【特許文献１】特開２００２−０３１７８６号公報
【発明の開示】
【発明が解決しようとする課題】
【０００８】
しかしながら、ここで作業を終了するとなると、作業者が自ら行った作業が正しいのか確認できない。特に、波長数が多い光送信装置においては、高い確率でヒューマンエラーが起こりうると予想される。
【０００９】
図３に、設定した送信波長を確認可能な従来の光送信装置の構成例を示す。図３に示されるように、波長合波器１２０により波長合波されたＷＤＭ信号の一部を、光分岐器１５０により分岐し、光スペクトラムアナライザ１６０に入力する。光スペクトラムアナライザ１６０は常に掃引しておく。これにより、作業者は、通信器１４０−３の送信波長をλ３に設定の上、光スペクトラムアナライザ１６０を目視すれば、新たに波長λ３が検出されたか否かを確認することができる。
【００１０】
しかしながら、この方法は、光分岐器１５０を挿入することにより、主信号であるＷＤＭ信号の強度に損失が生じる。また、光スペクトルアナライザ１６０を必要とするため、装置が高価となる。
【００１１】
本発明は、このような課題に鑑みてなされたもので、その目的とするところは、送信波長が可変可能な送信器を用いたＷＤＭ光通信システムにおいて、主信号であるＷＤＭ信号になんら影響を与えることなく、波長合波器の入力ポートに接続された送信器の目的波長を確認することのできる安価な光送信装置及び送信波長設定方法を提供することにある。
【課題を解決するための手段】
【００１２】
このような目的を達成するために、請求項１に記載の発明は、光送信装置であって、送信波長を可変可能な送信器と、前記送信器が接続された周回的な入出力ポート間の透過波長関係を有するアレイ導波路回折格子と、前記送信器の出力光が前記アレイ導波路回折格子を介して受光されるように前記アレイ導波路回折格子の第１の出力ポートに接続された光強度検出器と、を備え、前記アレイ導波路回折格子の任意の入力ポートに新たに接続された前記送信器の送信波長を選択し、前記光強度検出器が前記選択された送信波長の光強度を検出したとき、前記選択された送信波長、前記アレイ導波路回折格子の周回的な入出力ポート間の透過波長関係および前記第１の出力ポートとのポート間関係に基づいて、前記アレイ導波路回折格子の第２の出力ポートから出射される前記新たに接続された送信器の送信波長を確認可能とすることを特徴とする。
【００１３】
請求項２に記載の発明は、請求項１に記載の光送信装置において、前記アレイ導波路回折格子の各入力ポートに入射された前記出力光が前記第２の出力ポートから出射されるための、前記出力光の送信波長情報が記述されたタグであって、前記アレイ導波路回折格子の各入力ポート付近に設置されたタグと、前記タグから前記各入力ポートの前記送信波長情報を読み取る非接触型の読み取り器と、前記読み取り器から受信した前記各入力ポートの前記送信波長情報に基づいて前記新たに接続された送信器の送信波長の設定を行う波長設定器と、をさらに備えたことを特徴とする。
【００１４】
請求項３に記載の発明は、請求項１に記載の光送信装置において、前記新たに接続された送信器の送信波長の選択を順次掃引することにより行い、前記光強度検出器が前記選択された送信波長の光強度を検出したとき、前記選択された送信波長、前記アレイ導波路回折格子の周回的な入出力ポート間の透過波長関係および光強度が検出された前記第１の出力ポートのとのポート間関係に基づいて、前記アレイ導波路回折格子の第２の出力ポートに出射されるように前記新たに接続された送信器の送信波長を設定する波長設定器をさらに備えたことを特徴とする。
【００１５】
請求項４に記載の発明は、請求項３に記載の光送信装置において、前記波長設定器に接続された波長監視回路をさらに備え、前記波長設定器は、前記送信器が送信波長を掃引する前に、前記波長監視回路内の未設定波長情報、または既設定波長情報に基づいて、送信波長の掃引に際して既設定波長をスキップし、また波長設定完了後は、設定波長情報を波長監視回路に伝達することを特徴とする。
【００１６】
請求項５に記載の発明は、請求項４に記載の光送信装置において、前記波長監視回路は、前記送信器の通電情報を監視して前記通電情報を前記波長設定気に伝達し、前記波長設定器は、既設定波長として登録されていた前記送信器が未通電となったとき前記未通電になった送信器の送信波長を未設定波長として登録することを特徴とする。
【００１７】
請求項６に記載の発明は、送信波長を可変可能な送信器と、前記送信器が接続された周回的な入出力ポート間の透過波長関係を有するアレイ導波路回折格子と、前記送信器の出力光が前記アレイ導波路回折格子を介して受光されるように前記アレイ導波路回折格子の複数の第１の出力ポートにそれぞれ接続された複数の光強度検出器と、前記複数の光強度検出器が接続された入力ポート検出器と、を備え、前記アレイ導波路回折格子の任意の入力ポートに新たに接続された送信器の送信波長を選択し、前記光強度検出器が前記選択された送信波長の光強度を検出したとき、前記選択された送信波長、前記アレイ導波路回折格子の周回的な入出力ポート間の透過波長関係および光強度が検出された前記第１の出力ポートのとのポート間関係に基づいて、前記アレイ導波路回折格子の第２の出力ポートに出射される前記新たに接続された送信器の送信波長を確認可能とすることを特徴とする。
【００１８】
請求項７に記載の発明は、請求項６に記載の光送信装置において、前記新たに接続された送信器の送信波長の選択を順次掃引することにより行い、前記光強度検出器が前記選択された送信波長の光強度を検出したとき、前記選択された送信波長、前記アレイ導波路回折格子の周回的な入出力ポート間の透過波長関係および光強度が検出された前記第１の出力ポートのとのポート間関係に基づいて、前記アレイ導波路回折格子の第２の出力ポートに出射されるように前記新たに接続された送信器の送信波長を設定する波長設定器をさらに備えたことを特徴とする。
【００１９】
請求項８に記載の発明は、送信波長を可変可能な送信器および周回的な入出力ポート間の透過波長関係を有するアレイ導波路回折格子を備えた光送信装置における前記送信器の送信波長確認方法であって、送信波長の設定を行う送信器を前記アレイ導波路回折格子の任意の入力ポートに接続するステップと、前記設定を行う送信器の送信波長を選択し、前記アレイ導波路回折格子の少なくとも１つの第１の出力ポートで前記選択された送信波長の光強度が検出されたか否かを判定するステップと、前記判定するステップにおいて前記選択された送信波長の光強度が検出されたとき、前記選択された送信波長、前記アレイ導波路回折格子の周回的な入出力ポート間の透過波長関係および光強度が検出された前記第１の出力ポートとのポート間関係に基づいて、前記アレイ導波路回折格子の第２の出力ポートから出射される前記設定を行う送信器の送信波長を確認するステップと、を有することを特徴とする。
【００２０】
請求項９に記載の発明は、送信波長を可変可能な送信器および周回的な入出力ポート間の透過波長関係を有するアレイ導波路回折格子を備えた光送信装置における前記送信器の送信波長設定方法であって、送信波長の設定を行う送信器を前記アレイ導波路回折格子の任意の入力ポートに接続するステップと、前記設定を行う送信器の送信波長の選択を順次掃引することにより行い、前記アレイ導波路回折格子の少なくとも１つの第１の出力ポートで前記選択された送信波長の光強度が検出されたか否かを判定するステップと、前記判定するステップにおいて前記選択された送信波長の光強度が検出されたとき、前記選択された送信波長、前記アレイ導波路回折格子の周回的な入出力ポート間の透過波長関係および光強度が検出された前記第１の出力ポートとのポート間関係に基づいて、前記アレイ導波路回折格子の第２の出力ポートから出射されるように前記設定を行う送信器の送信波長を設定するステップと、を有することを特徴とする。
【発明の効果】
【００２１】
本発明によれば、送信波長が可変可能な送信器を用いたＷＤＭ光通信システムにおいて、主信号であるＷＤＭ信号になんら影響を与えることなく、波長合波器の入力ポートに接続された送信器の目的波長を確認することができる。
【発明を実施するための最良の形態】
【００２２】
（実施形態１）
図４に、本発明の実施形態１に係る光送信装置の構成を示す。本光送信装置は、Ｎ個の光送信器２１０−１〜２１０−Ｎ、波長合波器２２０、光強度検出器２３０から構成される。さらに各々の光送信器２１０−１〜２１０−３は、送信波長をλ０〜λＮの範囲で可変可能な送信器２１１−１〜２１１−Ｎ、および駆動部から構成される。ただし、ＷＤＭ光通信システムが通信に使用する波長は、λ１〜λＮである。また、駆動部２１２−１〜２１２−Ｎは、送信器２１１−１〜２１１−Ｎの波長設定、および波長出力のオンオフを行う。光送信器２１０−１、および光送信器２１０−２は、波長λ１、および波長λ２が送信されるように設定され、さらにそれぞれ、波長合波器の出力ポート＃１に対して波長λ１、および波長λ２を透過する入力ポートに接続されている。ここでは例として、作業者が、新たに光送信器＃２１０−３を、出力ポート＃１に対して波長λ３を透過する波長合波器２２０の入力ポート＃３に接続した場合を考える。
【００２３】
本実施形態１において重要な点は、波長合波器２２０として、周回的な入出力ポート間の透過波長関係を有するアレイ導波路回折格子ＡＷＧ（Arrayed Waveguide Grating）２２０を用いることである。本ＡＷＧ２２０は、送信波長λ１〜λＮが、光ファイバ伝送路に入射される出力ポート＃１とは別に、出力ポート＃２を有する。
【００２４】
図５に、周回性を有するＡＷＧ２２０の入出力ポート間の透過波長関係を示す。図５に示されるように、入力ポート＃１〜＃Ｎに、それぞれ、波長λ１〜λＮを入力すると、これらの波長は合波されて、出力ポート＃１にまとめて出力される。また、入力ポート＃１〜＃Ｎに、それぞれ、波長λ０〜λN+1を入力すると、これらの波長は、出力ポート＃２に合波されてまとめて出力される。このように、出力ポート＃２から出力される波長は、出力ポート＃１から出力される波長に対して、１ポート分だけ波長がずれる。図には示していないが、さらに出力ポートの番号が一つずれると、出力波長もまた一つずれる。
【００２５】
このＡＷＧ２２０を用いると、光送信器２１０−３に搭載されている送信器２１１−３の送信波長がλ２に選択されたときに、ＡＷＧ２２０の出力ポート＃２から波長が出力され、光強度検出器２３０により波長λ２が検出される。波長λ２が検出されたということは、送信器が入力ポート＃３に接続されたことを意味する。これにより、作業者は、波長λ２が設定すべき目的波長であることを確認することができる。
【００２６】
本実施形態１による光送信装置によれば、光分岐器を用いないため、主信号であるＷＤＭ信号の強度に損失は生じない。また、波長合波器であるＷＤＭを、同時に波長確認に利用していることから、光スペクトラムアナライザを用いることなく、安価な装置構成を実現することができる。
【００２７】
（実施形態２）
図６に、本発明の実施形態２に係る光送信装置の構成を示す。実施形態１に示した光送信装置に、波長設定器２４０、読み取り器２５０、タグ２６０を付加している。タグ２６０は、ＡＷＧ２２０の各入力ポート付近に設置され、各入力ポートから、光ファイバ伝送路に入射される送信波長情報が記述されている。入力ポートに接続された送信器２１１−１〜２１１−Ｎの送信波長の選択は、非接触型の読み取り器２５０によって、タグ２６０に記述された送信波長情報を読み取った結果に基づいて行う。
【００２８】
図６を例に説明すると、読み取り結果により、送信器２１０−３が、入力ポート＃３に接続されていることが分かり、その情報が読み取り器２５０から波長設定器２４０に送られる。波長設定器２４０は、送信器２１０−３の送信波長をλ３に設定すべきであると認識し、送信波長をλ２に設定するよう波長設定信号を送信器２１０−３に送出する。送信器は、波長設定信号に基づいて、波長λ２を送出する。波長λ２は、出力ポート＃２から出力されることから、光強度検出器２３０において検出される。波長の検出がなされれば、波長設定器２４０は、送信波長をλ３に設定すべきとの認識は正しかったものと判断し、送信器２１０−３に対して送信波長をλ３に設定するよう波長設定信号を送出する。送信器２１０−３は、送信波長をλ３に設定する。
【００２９】
本実施形態２による光送信装置によれば、作業者が、接続した波長合波器の入力ポートを認識してさえいれば、波長設定作業を安心して行うことができる。
【００３０】
（実施形態３）
図７に、本発明の実施形態３に係る光送信装置の構成を示す。本光送信装置は、Ｎ個の光送信器２１０−１〜２１０−Ｎ、波長合波器２２０、光強度検出器２３０、波長設定器２４０から構成される。さらに各々の光送信器２１０−１〜２１０−Ｎは、送信波長をλ０〜λＮの範囲で可変可能な送信器２１１−１〜２１１−Ｎ、および駆動部２１２−１〜２１２−Ｎから構成される。ただし、ＷＤＭ光通信システムが通信に使用する波長は、λ１〜λＮである。また、駆動部２１２−１〜２１２−Ｎは、送信器２１１−１〜２１１−Ｎの波長設定、および波長出力のオンオフを行う。光送信器２１０−１、および光送信器２１０−２は、波長λ１、および波長λ２が送信されるように設定され、さらにそれぞれ、波長合波器の出力ポート＃１に対して波長λ１、および波長λ２を透過する入力ポートに接続されている。波長合波器２２０として、周回的な入出力ポート間の透過波長関係を有するＡＷＧ２２０を用いる。入出力ポート間の透過波長関係は、図５に示した通りである。
【００３１】
本実施形態３では例として、新たに光送信器２１０−３を、出力ポート＃１に対して波長λ３を透過する入力ポートに接続した場合を考える。ただし、作業者は、接続した波長合波器の入力ポートを認識していないものとする。
【００３２】
図８に、本光送信装置による波長設定動作のフローチャートを示す。まず波長設定器２４０は、駆動部２１２−３に対してλ０〜λN+1の波長を設定するように波長設定信号を順次送出する。駆動部２１２−３は、受け取った波長設定信号に従い、送信器２１１−３の送信波長を掃引し、送信器２１１−３から波長を出力させる。その際、送信器２１１−３の波長を出力したまま掃引を行ってもよいし、設定波長を変更する度に、波長出力をオフにしてもよい。送信器２１１−３の送信波長をλ０からλN+1まで順次設定するごとに、出力ポート＃２に結合された光強度検出器２３０によって光強度の検出を行う。光強度検出器２３０によって光強度が検出されないときは、送信器２１１−３を次の波長に設定する。先述のとおり、この例では、波長がλ２に設定されたところで出力ポート＃２に波長が出力され、光強度検出器２３０によって光強度が検出される。光強度検出器２３０は、光強度が検出されるとその情報を波長設定器２４０に送る。波長λ２が検出されたということは、送信器２１１−３が入力ポート＃３に接続されたことを意味する。つまり、波長λ２が設定すべき目的波長となる。したがって波長設定器２４０は、光強度検出情報を受け取ると、駆動部２１２−３に、波長をλ３に設定するように波長設定信号を送る。最後に駆動部２１２−３は、受け取った波長設定信号に基づいて、送信器２１１−３の波長をλ３に設定する。設定波長を変更する度に、波長の出力をオフにしている場合には、さらに波長を出力させるようにオンにする。
【００３３】
本実施形態３による光送信装置によれば、作業者が、接続した波長合波器の入力ポートを駆動せずとも、波長設定作業を安心して行うことができる。
【００３４】
（実施形態４）
図９に、本発明の実施形態４に係る光送信装置の構成を示す。実施形態３に示した波長設定装置の構成とほぼ同様であるが、波長設定器２４０に接続された波長監視回路２７０を付加している点が異なる。
【００３５】
図１０に、本光送信装置による波長設定動作のフローチャートを示す。図８に示すフローチャートに、波長設定器２４０が駆動部２１２−３に波長設定信号を送り始める前に、波長監視回路２７０から既設定波長情報を読み出す動作、および波長設定完了後に、波長監視回路２７０に設定波長情報を送る動作が付加されている。本実施形態４による光送信装置によれば、波長設定部が、波長監視回路から既設定波長情報を読み出しそれを把握することで、掃引に際して既設定波長をスキップし、波長設定完了までの時間を短縮することができる。
【００３６】
（実施形態５）
図１１に、本発明の実施形態５に係る光送信装置の構成を示す。実施形態４に示した光送信装置の構成とほぼ同様であるが、各光送信器２１０−１〜２１０−Ｎから波長監視回路２７０に送信器２１１−１〜２１１−Ｎの通電情報を伝達している点が異なる。本実施形態５による光送信装置によれば、光送信器が光送信装置から取り外され、それまで使用していた既波長設定が空きになった場合に、波長監視回路がその波長を未設定波長として認識することができる。なお、通電情報の伝達は、常に行ってもよいし、一定の間隔を置いて定期的に行ってもよい。
【００３７】
（実施形態６）
図１２に、本発明の実施形態６に係る光送信装置の構成を示す。実施形態３に示した光送信装置の構成と同様な点も多いが、ＡＷＧ２２０の出力ポート＃２だけでなく、出力ポート＃３〜＃Ｎにも光強度検出器２３０−２〜２３０−Ｎが結合されている点、およびそれら光強度検出器２３０−２〜２３０−Ｎが接続された入力ポート検出器２８０が付加されている点が異なる。
【００３８】
図１３に、周回性を有するＡＷＧ２２０の入出力ポート間の透過波長関係を示す。図１３に示されるように、入力ポート＃１〜＃Ｎに波長λ１を入力すると、それぞれ、出力ポート＃１〜＃Ｎに出力される。したがって、送信器２１０−１〜２１０−ＮをＡＷＧの入力ポートに接続し、波長設定器２４０から波長λ１を設定するように波長設定信号を送出すれば、入力ポート＃１に接続した場合を除いて、各光強度検出器２３０−２〜２３０−Ｎのいずれかにおいて光強度が検出される。各光強度検出器２３０−２〜２３０−Ｎにおける光強度検出の有無についての情報は、入力ポート検出器２８０に送られる。入力ポート検出器２８０は、いずれの光強度検出器２３０−２〜２３０−Ｎにおいても波長が検出されない場合は、送信器が、入力ポート＃１に接続されたと判断し、その結果を波長設定器２４０に送る。その場合、送信器の波長はλ１のままでよいので、波長設定器２４０は動作を完了する。また、いずれかの光強度検出器２３０−２〜２３０−Ｎにおいて光強度が検出された場合は、その光強度検出器２３０が接続される出力ポート番号と同じ番号の入力ポートに送信器２１１が接続されたと判断し、その結果を波長設定器２４０に送る。波長設定器２４０は、受け取った入力ポート番号と同じ番号の波長設定情報を駆動部２１２に送る。駆動部２１２は受け取った波長設定情報に従って送信器２１１の波長を設定し、動作を完了する。本実施形態６による光送信装置によれば、送信器の送信波長を掃引することなく、非常に短時間で波長設定を行うことができる。
【００３９】
光送信器２１０をＡＷＧ２２０の入力ポートに接続した際に、最初に設定される波長として、光送信器が光ファイバ伝送路に送信する波長以外のものを用いることもできる。例えば、波長λ０を用いることができる。図１０に示されるように、入力ポート＃１〜＃Ｎに波長λ０を入力すると、それぞれ、出力ポート＃２〜＃（Ｎ＋１）に出力される。波長λ１を用いた場合、送信器が入力ポート＃１に接続されると光強度検出器に波長が到達しないので、出力ポート＃１に波長が出力されたのか、送信器が故障したのかの判別ができない。これに対して波長λ０を用いた場合は、送信器に異常がなければ、必ずいずれかの光強度検出器において光強度が検出される。したがって、光強度の検出がなされないときは、接続した送信器が故障したものと判断することができる。
【図面の簡単な説明】
【００４０】
【図１】ＷＤＭ光通信システムにおいて使用される従来の光送受信装置の構成を示す図である。
【図２】送信波長が可変可能な送信器を用いた従来の光送信装置の構成を示す図である。
【図３】設定した送信波長を確認可能な従来の光送信装置の構成例を示す図である。
【図４】本発明の実施形態１に係る光送信装置の構成を示す図である。
【図５】周回性を有するＡＷＧ２２０の入出力ポート間の透過波長関係を示す図である。
【図６】本発明の実施形態２に係る光送信装置の構成を示す図である。
【図７】本発明の実施形態３に係る光送信装置の構成を示す図である。
【図８】本光送信装置による波長設定動作のフローチャートである。
【図９】本発明の実施形態４に係る光送信装置の構成を示す図である。
【図１０】本光送信装置による波長設定動作のフローチャートである。
【図１１】本発明の実施形態５に係る光送信装置の構成を示す図である。
【図１２】本発明の実施形態６に係る光送信装置の構成を示す図である。
【図１３】周回性を有するＡＷＧ２２０の入出力ポート間の透過波長関係を示す図である。
【符号の説明】
【００４１】
１１０  光送受信器
１１１、１４１、２１１  送信器
１１２  受信器
１２０、２２０  波長合波器
１３０  波長分波器
１４０、２１０  光送信器
１４２、２１２  駆動部
１５０  光分岐器
１６０  光スペクトラムアナライザ
２３０  光強度検出器
２４０  波長設定器
２５０  読み取り器
２６０  タグ
２７０  波長監視回路
２８０  入力ポート検出器
【図１】
2010154063.tif 000003
【図２】
2010154063.tif 000004
【図３】
2010154063.tif 000005
【図４】
2010154063.tif 000006
【図５】
2010154063.tif 000007
【図６】
2010154063.tif 000008
【図７】
2010154063.tif 000009
【図８】
2010154063.tif 000010
【図９】
2010154063.tif 000011
【図１０】
2010154063.tif 000012
【図１１】
2010154063.tif 000013
【図１２】
2010154063.tif 000014
【図１３】
2010154063.tif 000015